(57)【特許請求の範囲】
【請求項１】
リール本体の側板間にスプールが回転自在に支持された魚釣用リールであって、
前記側板は、前記スプールのスプール軸周りに回動させることにより、前記リール本体のフレームに対して着脱可能に設けられ、
前記側板には、前記フレームに対して当該側板を係止するための係止機構が設けられており、
前記係止機構は、前記リール本体の竿延在方向における前記スプール軸の前側において、前記側板の下部領域に設けられており、
前記側板は、前記スプールの回転を制動する制動装置と、この制動装置における制動力を調節する調節つまみと、を備え、
前記係止機構は、前記制動装置と前記調節つまみとの下方においてこれらの両方に亘るように設けられていることを特徴とする魚釣用リール。
【請求項２】
前記係止機構は、操作ボタンと、前記操作ボタンの操作に連動して作動する係止部材とを備え、
前記係止部材は、前記フレーム側に設けられた受部に係止されて前記側板を前記フレームに係止し、前記操作ボタンの操作に連動して作動することで前記受部との係止を解除して前記フレームに対する前記側板の離脱を可能にすることを特徴とする請求項１に記載の魚釣用リール。
【請求項３】
前記操作ボタンは、前記スプール軸方向から見て略三角形状とされており、少なくともその一辺が、前記側板の下部領域において当該側板の下縁に沿うように配置されていることを特徴とする請求項２に記載の魚釣用リール。
【請求項４】
前記係止部材は、前記操作ボタンに連結される一端部と、前記受部に係脱する他端部と、前記一端部と前記他端部との間に設けられ、前記他端部が前記受部に対して係脱するように当該係止部材を揺動可能に支持する一対の支持腕と、を備えており、
一対の前記支持腕は、前記側板の下縁から離れる側と前記側板の下縁に近い側とにそれぞれ突設されており、
一対の前記支持腕のうち、前記側板の下縁から離れる側の前記支持腕を支持する第１支持部と、前記側板の下縁に近い側の前記支持腕を保持する保持部材が装着される第２支持部と、を備えて構成されていることを特徴とする請求項２または請求項３に記載の魚釣用リール。
【請求項５】
前記操作ボタンは、ボタン部と、このボタン部を前記係止部材の一端部に固定するための固定部材とを備えてなることを特徴とする請求項４に記載の魚釣用リール。
【発明の詳細な説明】
【技術分野】
【０００１】
本発明は、スプールの側方の側板を取り外すことができる取り外し機構が設けられた両軸型の魚釣用リールに関する。
【背景技術】
【０００２】
従来、一般的な両軸型の魚釣用リールは、リール本体と、釣糸が巻回されるスプールと、リール本体の側方に装着され、スプールに挿通されたスプール軸の一端側を支持する側板（外側板）とを備えて構成されている。
【０００３】
そして、スプールの交換やスプールのメンテナンス等をスムーズに行うために、外側板には、これを取り外すための係止機構が設けられている（例えば、特許文献１参照）。
特許文献１の魚釣用リールにおける係止機構は、外側板の表面に露出するように設けられたプッシュ式のボタンと、外側板の内側に設けられ、前記ボタンが操作された際に連動して作動する係止部材とを備えている。係止部材は、リール本体側に設けられた受部に係止されるようになっており、前記ボタンが操作されることで、リール本体側の受部に対する係止部材の係止が解除されるように構成されている。
このような魚釣用リールによれば、ボタンを操作することで、リール本体から外側板をワンタッチで取り外すことが可能である。
【先行技術文献】
【特許文献】
【０００４】
【特許文献１】特開昭６３−２６３０３３号公報
【発明の概要】
【発明が解決しようとする課題】
【０００５】
特許文献１の魚釣用リールでは、前記したように、ボタンを操作することで、リール本体から外側板をワンタッチで取り外せるので取り外し操作が簡単である。
しかしながら、ボタンは、スプール軸の前方において外側版の上下方向の略中央部に設けられていたため、外側板の中央部の広いスペースを係止機構が占め外側板の内側スペースを効率よく利用することができなかった。これにより、内部機構部品（例えば、スプールを制動するための操作部品）等の設置に制限が生じ易く、レイアウトの自由度が低かった。
【０００６】
本発明は、前記問題を解決するためになされたものであり、リール本体から側板を取り外すことができる構成でありながら、側板の内側における内部機構部品等のレイアウトの自由度を高めることができる魚釣用リールを提供することを課題とする。
【課題を解決するための手段】
【０００７】
このような課題を解決する本発明の魚釣用リールは、リール本体の側板間にスプールが回転自在に支持された魚釣用リールであって、前記側板は、前記スプールのスプール軸周りに回動させることにより、前記リール本体のフレームに対して着脱可能に設けられ、前記側板には、前記フレームに対して当該側板を係止するための係止機構が設けられており、前記係止機構は、前記リール本体の竿延在方向における前記スプール軸の前側において、前記側板の下部領域に設けられており、前記側板は、前記スプールの回転を制動する制動装置と、この制動装置における制動力を調節する調節つまみと、を備え、前記係止機構は、前記制動装置と前記調節つまみとの下方においてこれらの両方に亘るように設けられていることを特徴とする。
【０００８】
この魚釣用リールによれば、リール本体のフレームに対して側板を着脱することができ、側板に設けられた係止機構により、フレームに対して側板を係止することができる。
そして、係止機構は、リール本体の竿延在方向のスプール軸の前側において、側板の下部領域に設けられているので、スプール軸の前側における側板の中央領域や上部領域を内部機構部品の設置用のスペースとして利用することができる。
また、係止機構は、制動装置と調節つまみとの下方においてこれらの両方に亘るように設けられているので、スプール軸の前側における側板の下部領域において、制動装置と調節つまみとに亘るスペースを好適に利用した配置が可能となる。
【０００９】
また、本発明は、前記係止機構が、操作ボタンと、前記操作ボタンの操作に連動して作動する係止部材とを備え、前記係止部材は、前記フレーム側に設けられた受部に係止されて前記側板を前記フレームに係止し、前記操作ボタンの操作に連動して作動することで前記受部との係止を解除して前記フレームに対する前記側板の離脱を可能にすることを特徴とする。
【００１０】
この魚釣用リールによれば、操作ボタンと、操作ボタンの操作に連動して作動する係止部材とにより係止機構を簡単に構成することができる。
また、係止機構が、操作ボタンと、係止部材とを備えて構成されているので、これらを材質の異なる部材で構成することができる。
【００１１】
また、本発明は、前記操作ボタンが、前記スプール軸方向から見て略三角形状とされており、少なくともその一辺が、前記側板の下部領域において当該側板の下縁に沿うように配置されていることを特徴とする。
【００１２】
この魚釣用リールによれば、スプール軸方向から見て略三角形状とされた操作ボタンの少なくともその一辺が、側板の下部領域において側板の下縁に沿うように配置されているので、側板の下縁に近づけるようにして操作ボタンを配置することができる。
【００１３】
また、本発明は、前記係止部材は、前記操作ボタンに連結される一端部と、前記受部に係脱する他端部と、前記一端部と前記他端部との間に設けられ、前記他端部が前記受部に対して係脱するように当該係止部材を揺動可能に支持する一対の支持腕と、を備えており、一対の前記支持腕は、前記側板の下縁から離れる側と前記側板の下縁に近い側とにそれぞれ突設されており、一対の前記支持腕のうち、前記側板の下縁から離れる側の前記支持腕を支持する第１支持部と、前記側板の下縁に近い側の前記支持腕を保持する保持部材が装着される第２支持部と、を備えて構成されていることを特徴とする。
【００１４】
この魚釣用リールによれば、係止部材の一対の支持腕のうち、側板の下縁から離れる側の支持腕を支持部の第１支持部に支持し、側板の下縁に近い側の支持腕を保持部材で保持するようにして、これを支持部の第２支持部に装着することで、支持部に係止部材を揺動可能に支持することができる。
【００１５】
また、本発明は、前記操作ボタンが、固定部材を介して前記係止部材の一端部に固定されることを特徴とする。
【００１６】
この魚釣用リールによれば、固定部材により操作ボタンを係止部材の一端部に固定することで、操作ボタンを係止部材に連結することができる。また、操作ボタンと固定部材とを異なる材料で、例えば、操作ボタンを樹脂材で形成し、固定部材を金属材で形成することができる。
【発明の効果】
【００１９】
本発明によれば、リール本体のフレームに対して側板を着脱することができ、側板に設けられた係止機構により、リール本体のフレームに対して側板を係止することができるので、スプールの交換やスプールのメンテナンス等を簡単かつスムーズに行うことができる。
係止機構が、リール本体の竿延在方向のスプール軸の前側において、側板の下部領域に設けられており、スプール軸の前側における側板の中央領域や上部領域を内部機構部品の設置用のスペースとして利用することができるので、これらのスペースを利用して内部機構部品（例えば、スプールを制動するための操作部品等）を側板の内側に設置することができる。また、リール本体のフレーム側に設けられる機構や部品等をこれらのスペースを利用して収容することもできる。したがって、側板の内側スペースを内部機構部品の設置用のスペースとして効率よく利用することができる魚釣用リールが得られる。
したがって、リール本体から側板を取り外すことができる構成でありながら、側板の内側における内部機構部品等のレイアウトの自由度を高めることができる。また、魚釣用リールのコンパクト化を図ることもできる。
また、係止機構は、リール本体の竿延在方向のスプール軸の前側において、側板の下部領域に設けられているので、例えば、係止機構の操作ボタンをこの下部領域において側板に露出するように設けることによって、側板の側方から手をあてがうようにして、係止機構の操作ボタンを指で操作することができ、側板を取り外す際の操作が行い易い魚釣用リールが得られる。
また、係止機構が、制動装置と調節つまみとの下方においてこれらの両方に亘るように設けられることで、スプール軸の前側における側板の下部領域において、制動装置と調節つまみとの間に形成されるスペースを利用して係止機構を配置することができるので、スプール軸の前側における側板の中央領域や上部領域に、制動装置と調節つまみとを配置しつつ、係止機構も好適に配置することができ、側板の内側スペースを内部機構部品の設置用のスペースとして効率よく利用することができる魚釣用リールが得られる。これによって、魚釣用リールのコンパクト化を図ることもできる。
【００２０】
また、本発明によれば、操作ボタンと係止部材とにより係止機構を簡単に構成することができるので、生産性に優れ、また部品点数も少なく、製造コストの低減を図ることが可能となる。
また、操作ボタンと、係止部材とを材料の異なる部材で構成することができるので、例えば、操作ボタンを樹脂製とし、係止部材を金属製として、これらを組み付けることも可能であり、操作し易く、しかも高強度で剛性を備えた係止機構が得られる。これにより、側板の係止操作を長期間にわたって安定して行うことが可能であり、操作性に優れる。
【００２１】
また、スプール軸方向から見て略三角形状とされた操作ボタンの少なくともその一辺が、側板の下部領域において側板の下縁に沿うように配置されている構成では、側板の下縁に近づけるようにして操作ボタンを配置することができるので、スプール軸の前側における側板の下部領域において容易に操作ボタンが収まるようになり、係止機構のさらなる省スペース化を実現することができる。これによって、側板の内側スペースを内部機構部品等の設置用のスペースとして一層効率よく利用することができるようになり、より一層の魚釣用リールのコンパクト化を図ることもできる。
【００２２】
また、係止部材が一対の支持腕を有し、一対の支持腕のうち、側板の下縁から離れる側の支持腕を支持する第１支持部と、側板の下縁に近い側の支持腕を保持する保持部材が装着される第２支持部と、を備えた構成では、係止部材を支持部に組み付ける際に、側板の下縁に近い側の支持腕のみを保持部材で保持すればよいので、組み付けが簡単で生産性に優れ、また、部品点数も少なくなって、製造コストの低減を図ることができる。
【００２３】
また、操作ボタンが、固定部材を介して係止部材の一端部に固定される構成では、固定部材により操作ボタンを係止部材の一端部に固定することで連結することができるので、係止部材に対する操作ボタンの連結が簡単であり生産性に優れる。
また、操作ボタンが二部材で構成されているので、例えば、ボタン部を樹脂材で形成し、固定部を金属材で形成することができ、指に触れる部分を樹脂製の風合いとしつつ、固定する部分を金属製として係止部材に対する強固な固定を実現することができる。これにより、操作し易く、しかも高強度で剛性を備えた係止機構が得られる。これにより、側板の係止操作を長期間にわたって安定して行うことが可能であり、操作性に優れる。
【図面の簡単な説明】
【００２５】
【図１】（ａ）は本発明の第１実施形態に係る魚釣用リールの内部構造を示す上面図、（ｂ）は制動装置を示した平断面図である。
【図２】（ａ）は魚釣用リールの側面図、（ｂ）は図２（ａ）におけるＸ１−Ｘ１線断面図である。
【図３】（ａ）は外側板の内側の構成を示した側面図、（ｂ）は外側板を取り外した状態の側面図、（ｃ）は図２（ａ）におけるＸ２−Ｘ２線断面図である。
【図４】（ａ）は係止機構の拡大側面図、（ｂ）は図４（ａ）におけるＸ３−Ｘ３線断面図、（ｃ）は図４（ａ）におけるＸ４−Ｘ４線断面図である。
【図５】外側板を取り外す際の作用を示す図であり、（ａ）は操作ボタンを操作する前の状態を示す断面図、（ｂ）は操作ボタンを操作した状態を示す断面図、（ｃ）は操作ボタンを操作した後に外側板を回動させた状態を示す側面図である。
【図６】本発明の第２実施形態に係る魚釣用リールの外側板の内側を示す側面図である。
【図７】本発明の第３実施形態に係る魚釣用リールの側面図である。
【図８】本発明の第４実施形態に係る魚釣用リールの側面図である。
【発明を実施するための形態】
【００２６】
以下、本発明に係る魚釣用リールの実施形態について図面を参照しながら説明する。なお、以下の説明において、「前後」「左右」を言うときは、図１に示した方向を基準とし、「上下」を言うときは、図２（ａ）に示した方向を基準とする。なお、説明において、同一の要素には同一の符号を用い、重複する説明は省略する。
【００２７】
（第１実施形態）
図１に示すように、魚釣用リールのリール本体１は、釣糸が巻回されるスプール５を回転可能に支持した左右側板２Ａ，２Ｂを備え、左側板２Ａを構成する左外側板３ａには、リール本体１の左フレーム２ａに対してこの左外側板３ａを取り付け取り外し可能とする係止機構２０（図２（ａ）（ｂ）参照）が設けられている。
ここで、リール本体１の「側板」は、図１に示すように、スプール５の軸方向の両端に位置する部材であり、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂとから構成される。左フレーム２ａ，２ｂと左右外側板３ａ，３ｂとの間には内部空間が形成され、このうち左フレーム２ａと左外側板３ａとの間に形成される内部空間には、前記した係止機構２０（図２（ａ）（ｂ）参照）の他、制動装置３０、調整つまみ４０等が設置されるようになっている。また、右フレーム２ｂと右外側板３ｂとの間に形成される内部空間には、駆動機構１０、クラッチ機構５０、バックラッシュ防止機構６０等が設置されるようになっている。なお、左右フレーム２ａ，２ｂと左右外側板３ａ，３ｂとの形状については、適宜変形することが可能であり、それらを構成する材料は適宜設定することができる。
【００２８】
左右フレーム２ａ，２ｂは、図示しない複数の支柱を介して一体化されており、そのうちの下部に設けられた支柱には、釣竿のリールシート（不図示）に装着される釣竿取付脚１ａが設けられている。
また、左右フレーム２ａ，２ｂ間には、軸受５ａ，５ｂを介してスプール軸５ｃが回転可能に支持されており、このスプール軸５ｃにスプール５が取り付けられている。
スプール５は、ハンドル７を回転操作することによって回転させることができるように構成されており、ハンドル７は、右外側板３ｂから突出したハンドル軸７ａの端部に取り付けられて、右外側板３ｂとの間に介在された逆転防止機構７ｂ（転がり式一方向クラッチ）によって、クラッチＯＮ操作時に釣糸巻き取り方向にのみ回転可能となっている。
なお、スプール軸５ｃを回転可能に支持する軸受５ａは、左外側板３ａに設けられた制動装置３０の有底円筒状の支持部材３１の中央部に配設されている。また、軸受５ｂは、右フレーム２ｂに配設されている。なお、軸受５ｂは、右外側板３ｂに配設されていてもよい。
【００２９】
右フレーム２ｂと右外側板３ｂとの間には、前記したように、ハンドル７の回転運動をスプール軸５ｃ、およびレベルワインド機構１５の螺軸１６に伝達する駆動機構１０、駆動力の伝達を継脱するクラッチ機構５０（図４参照）のほか、魚釣時にスプール５から釣糸が繰り出された際に、スプール５にドラグ力を付与するバックラッシュ防止機構（ドラグ機構）６０等が収容されている。
【００３０】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５１が係合して、ピニオン１２を軸方向に移動させるようになっている。すなわち、ピニオン１２が軸方向に移動することで、スプール軸５ｃとの間で継脱がなされ、動力伝達状態（クラッチＯＮ状態）／動力遮断状態（クラッチＯＦＦ状態）に切り換えられるようになっている。
【００３１】
スプール５の前方において、リール本体１の左右側板２Ａ，２Ｂ間には、レベルワインド機構１５が配置されている。レベルワインド機構１５は、駆動機構１０を介して回転駆動される螺軸１６と、螺軸１６に装着されて左右方向に往復動可能に設けられた釣糸案内体１７と、この釣糸案内体１７に設けられたラインガイド１８とを備えている。
螺軸１６は、左右側板２Ａ，２Ｂ間に回転可能に支持されており、駆動機構１０を介して回転駆動されるようになっている。螺軸１６の端部には、連動歯車１６ａが取り付けられており、この連動歯車１６ａには、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車１６ａを通じて螺軸１６に伝わり、螺軸１６が回転駆動される。
【００３２】
螺軸１６の外周面には、螺旋溝１６ｂが形成され、この螺旋溝１６ｂには、釣糸案内体１７に設けられた図示しない摺動子が係合している。これにより、釣糸案内体１７のラインガイド１８は、螺軸１６が連動歯車１６ａによって回転駆動されることで、螺旋溝１６ｂに係合する図示しない摺動子を介して左右往復動するようになっている。
【００３３】
左フレーム２ａと左外側板３ａとの間に収容された制動装置３０は、スプール５の回転を制動するものであり、図１（ｂ）に示すように、左外側板３ａの内側に嵌着固定された支持部材３１と、この支持部材３１の環状部３１ａの外側に固着された内側磁極環体３２と、支持部材３１に回動自在に支承された保持体３３と、この保持体３３の内側に固着された外側磁極環体３４とを備えて構成されている。なお、支持部材３１の環状部３１ａの内側には、スプール軸５ｃの左端を支持する軸受５ａが装着されている。
【００３４】
内側磁極環体３２は、例えば、径方向のＮＳ極を円周方向に等間隔で交互逆向きにかつ相対向して形成した環状磁石と、その内周面に嵌着された鉄等の磁性材料で形成された環状継鉄とから構成されている。
また、外側磁極環体３４は、例えば、内側磁極環体３２の環状磁石のＮＳ極と夫々相対向した径方向のＮＳ極を交互逆向きに相対向して形成した環状磁石と、その外周面に嵌着された鉄等の磁性材料で形成された環状継鉄から構成されている。そして、外側磁極環体３４は、保持体３３に固着された状態で、内側磁極環体３２の径方向外側に同心円状に間隔を隔てて配置されており、このように間隔を隔てて配置された内側磁極環体３２と外側磁極環体３４との間には、スプール軸５ｃに固着された円筒状の導電環体５ｄが配置されるようになっている。導電環体５ｄは、例えば、アルミ、銅などの非磁性材料からなる。
【００３５】
保持体３３の外周部には歯部３３ａが形成されている。
一方、左外側板３ａには、スプール軸５ｃの前側において、調節つまみ４０が回動可能に軸支されており、この調節つまみ４０に取り付けられた歯車４１の歯部４２が、保持体３３の前記した歯部３３ａと噛合している。これにより、調節つまみ４０を回動させることにより、保持体３３の外側磁極環体３４を内側磁極環体３２に対して回動させることができ、内側磁極環体３２と外側磁極環体３４との対向しているＮＳ極の関係を変更できるように構成されている。
なお、外側磁極環体３４が内側磁極環体３２に対して、異極同士が対向すると、空隙磁束密度は最大となり、導電環体５ｄに発生する渦電流が最大となって最大量の制動力を発揮する。そして、この状態から外側磁極環体３４が回動されると、回動角の増大に伴って制動力が漸次減じられ、異極同士が対向したときの制動力がゼロになる。
【００３６】
本実施形態では、調節つまみ４０や係止機構２０が、図２（ａ）に示すように、左外側板３ａをスプール５（スプール軸５ｃ）の軸心Ｏ１方向から見たときに、次の領域に配置されている。
すなわち、スプール５の軸心Ｏ１を通る２つの水平面Ｋ１と垂直面Ｋ２とを基準面として、左外側板３ａの軸心Ｏ１の前側における領域を、上部領域Ａ１と下部領域Ａ２とに分けると、調節つまみ４０の軸心Ｏ２は、上部領域Ａ１に位置している。
一方、係止機構２０は、左外側板３ａの軸心Ｏ１の前側における領域において、全体が水平面Ｋ１の下側となる下部領域Ａ２に位置しており、制動装置３０と調節つまみ４０との下方においてこれらの両方に亘るように設けられている。別言すれば、水平面Ｋ１を挟んで上側に調節つまみ４０の軸心Ｏ２が位置し、下側に係止機構２０の操作ボタン２１を含む係止機構２０の全ての構成要素が配置されている。
なお、調節つまみ４０の上部４０ａは、左外側板３ａに形成された開口部３ｃを通じて露出しており、この開口部３ｃを通じて操作可能となっている。
【００３７】
また、調節つまみ４０の下部４０ｂは、水平面Ｋ１を超えて下部領域Ａ２に達しており、係止機構２０の操作ボタン２１の上方近傍に位置している。
係止機構２０の操作ボタン２１は、制動装置３０と調節つまみ４０との下方において、制動装置３０の支持部材３１の外周縁３１ｄと、調節つまみ４０の外周縁４０ｃと、左外側板３ａの下縁３ｆと、で囲われる、側面視で略三角形状のスペースＡ３に配置されている。
ここで、操作ボタン２１は略二等辺三角形とされており、略二等辺となる二つの辺２１ａ，２１ｂが、制動装置３０の支持部材３１の外周縁３１ｄと、調節つまみ４０の外周縁４０ｃとにそれぞれ沿うようにして対向するように配置されている。つまり、制動装置３０と調節つまみ４０との下方に形成される略三角形状のスペースＡ３を無駄なく利用して、操作ボタン２１が配置されている。
また、操作ボタン２１の外表面は、左外側板３ａの外表面と面一となるように形成されている。これによって、糸絡み等のトラブルを回避でき、把持性の向上を図ることができるとともに、実釣時に操作ボタン２１が誤って押し込まれる等の誤操作も防止できる。
【００３８】
ここで、図３（ａ）に示すように、制動装置３０の支持部材３１には、その円筒状の外周縁３１ｄに、円周方向に所定の間隔（略９０度間隔）を置いて、舌片状の係合片３１ｃが突設されている。また、図３（ｂ）に示すように、左フレーム２ａには、前記した係合片３１ｃに対応する位置に、前記各係合片３１ｃが係合可能な溝状の係合部２ｃがそれぞれ設けられている。これにより、左外側板３ａを左フレーム２ａに装着する際には、左フレーム２ａの側面に左外側板３ａを合わせるようにして、スプール軸５ｃ（軸心Ｏ１）を中心として回動させることで、各係合部２ｃに左外側板３ａの係合片３１ｃがそれぞれ係合し、これによって、左フレーム２ａに脱落不能に左外側板３ａが装着されることとなる。
【００３９】
係止機構２０は、図２（ａ）（ｂ）に示すように、操作ボタン２１と、この操作ボタン２１の操作に連動して揺動する係止部材２２とを備えて構成されている。操作ボタン２１は、前記したように、スプール軸５ｃの軸方向から見て二辺２１ａ，２１ｂの長さが略等しい二等辺三角形状とされており、また、下辺２１ｃは、左外側板３ａの下縁３ｆに沿うように、これと略平行に配置されている。
操作ボタン２１は、樹脂製であり、図２（ｂ）に示すように、左外側板３ａに形成されたボス部３ｇの凹部３ｅ内にばね部材２６を介して押し下げ操作可能に収容されている。なお、操作ボタン２１は、これに連結される係止部材２２によって、凹部３ｅから抜け落ちることが防止されている。
【００４０】
操作ボタン２１の端部には、ねじ穴２１ｅが形成されている。このねじ穴２１ｅには、金属製のねじ部材（固定部材）２３が螺合可能であり、このねじ部材２３を介して、操作ボタン２１の端部が係止部材２２の一端部２２ａに連結されている。なお、ねじ部材２３は、樹脂製でもよい。
【００４１】
係止部材２２は、平板状の金属製の部材であり、図４（ａ）に示すように、側面視（左外側板３ａを内側から見た側面視）で、一端部２２ａ側に対して他端部２２ｂ側が左外側板３ａの下縁３ｆと略平行となるように折曲形成された略く字形状を呈している。また、係止部材２２は、図４（ｂ）（ｃ）に示すように、一端部２２ａ側の軸線（不図示）に直交する略前後方向から見たときに、一端部２２ａ側に対して他端部２２ｂ側が左外側板３ａの内面側方に向けて突出するように折曲形成された略く字形状を呈している。
【００４２】
係止部材２２は、一端部２２ａが操作ボタン２１に連結され、他端部２２ｂが左フレーム２ａの取付穴２ｄに設けられた受部２ｅ（図２（ａ）（ｂ）参照）に係脱可能とされており、一端部２２ａと他端部２２ｂとの間に設けられた一対の支持腕２５ａ，２５ｂを支点として、左外側板３ａに揺動可能に支持され、この揺動により、他端部２２ｂが左フレーム２ａに対して出没するようになっている。
【００４３】
一端部２２ａは、図４（ａ）に示すように、側面視でリング状とされており、操作ボタン２１の端部に螺合されるねじ部材２３の頭部に係止されている。一端部２２ａは、薄肉状とされており、後記するように、操作ボタン２１が押し下げられたときのねじ部材２３の押し下げ移動に弾性的に追従するようになっている。なお、一端部２２ａは、操作ボタン２１が押し下げられたときのねじ部材２３の押し下げ移動に追従する遊び（隙間）を備えて、ねじ部材２３の頭部に係止されるように構成してもよい。また、一端部２２ａは、ねじ部材２３の移動に弾性的に追従するものであればよく、例えば、側面視でＣ字形状としてもよい。また、図示しないピン等を介して、ねじ部材２３に連結されていてもよい。
【００４４】
また、他端部２２ｂは、前記したように左フレーム２ａに設けられた受部２ｅ（図２（ａ）（ｂ）参照、以下同じ）に係脱可能に設けられており、その先端部２２ｂ２は、受部２ｅの外周面に対応した湾曲凹状に形成されている。
なお、図４（ａ）に示すように、左外側板３ａには、先端部２２ｂ２との間に受部２ｅを受け入れ可能な湾曲凹部３ｋが形成されている。湾曲凹部３ｋは、受部２ｅの先端外周面に対応した内周面を有している。
【００４５】
ここで、図４（ｃ）に示すように、他端部２２ｂ側に形成された傾斜面２２ｂ１には、後記するように、左フレーム２ａに左外側板３ａを装着する際に、受部２ｅが他端部２２ｂの先端部２２ｂ２に係止されるまでの間、受部２ｅが一時的に当接するようになっている。この場合、傾斜面２２ｂ１に受部２ｅが当接することにより、係止部材２２の他端部２２ｂ側は、左外側板３ａに向けて没することとなり、反対側となる一端部２２ａが左フレーム２ａ側に揺動する。これにより、固定ねじ２３が左フレーム２ａ側に引っ張られ、ばね部材２６が一時的に圧縮される状態となる。そして、左外側板３ａの装着時の回動（図５（ｃ）において図中矢印Ｂ２方向の回動）にともなって、傾斜面２２ｂ１上から受部２ｅが外れて先端部２２ｂ２側に移動すると、左外側板３ａに向けて没していた他端部２２ｂが、ばね部材２６のばね力により受部２ｅ側に突出するように復帰され、これによって、他端部２２ｂの先端部２２ｂ２が受部２ｅに係止される状態となる。
なお、操作ボタン２１の外周縁部の一部である辺２１ｃに沿う方向と、係止部材２２の一部である他端部２２ｂに沿う方向とが略一致するように操作ボタン２１と係止部材２２とが配置されている。
【００４６】
一対の支持腕２５ａ，２５ｂは、図４（ａ）に示すように、係止部材２２の長手方向の略中央部において係止部材２２の両側方へ突出形成されており、左外側板３ａの内面に突設されたボス部（第１支持部）３ｇ１，ボス部（第２支持部）３ｇ２に対してそれぞれ支持されるようになっている。
一方のボス部３ｇ１は、図４（ｂ）に示すように、係止部材２２の一側に配置されており、係止部材２２の支持腕２５ａ（左外側板３ａの下縁３ｆから離れる側の支持腕２５ａ）に対向する部分に、この支持腕２５ａを受け入れて支持する支持穴３ｈが形成されている。
また、他方のボス部３ｇ２は、図４（ｃ）に示すように、係止部材２２の他側に配置されており、係止部材２２の支持腕２５ｂ（左外側板３ａの下縁３ｆに近い側の支持腕２５ｂ）に対向する部分に、支持腕２５ｂが挿入支持される支持凹部３ｊを有している。支持凹部３ｊの側方には固定ねじ２４（保持部材）が螺着され、この固定ねじ２４の頭部で、支持凹部３ｊの開口の一部が塞がれるようになっている。これにより、支持凹部３ｊ内から支持腕２５ｂが脱落することが防止されている。
したがって、係止部材２２を支持する際には、一方のボス部３ｇ１の支持穴３ｈに係止部材２２の支持腕２５ａを先に挿入支持しておいてから、他方のボス部３ｇ２の支持凹部３ｊに支持腕２５ｂを挿入し、その上から固定ねじ２４をボス部３ｇ２に螺着する。これによって、係止部材２２が支持腕２５ａ，２５ｂを介してボス部３ｇ１，３ｇ２に揺動可能に支持されることとなる。
【００４７】
次に、左外側板３ａを左フレーム２ａから取り外す際の操作について説明する。
ここで、左フレーム２ａに左外側板３ａが取り付けられている状態では、図５（ａ）に示すように、係止部材２２の他端部２２ｂが受部２ｅに向けて突出しており、他端部２２ｂの先端部２２ｂ２が受部２ｅの外周面に係止されている。
この状態から、係止機構２０の操作ボタン２１を押し下げ操作すると、図５（ｂ）に示すように、操作ボタン２１が左外側板３ａに形成された凹部３ｅ内を左フレーム２ａ側に向けて移動し、この移動により、係止部材２２の一端部２２ａが左フレーム２ａに向けて押される。そうすると、一対の支持腕２５ａ，２５ｂを支点として係止部材２２が揺動し、他端部２２ｂが左外側板３ａの内面へ向けて移動する（没する）。これによって、他端部２２ｂの先端部２２ｂ２が左フレーム２ａの受部２ｅから外れ、これらの係止状態が解除される。
【００４８】
この状態で、左外側板３ａをスプール軸５ｃ（軸心Ｏ１）を中心として、図５（ｃ）中矢印Ｂ１方向に回動させる（スプール軸５ｃ周りに回動させる）。そうすると、制動装置３０の支持部材３１に設けられた舌片状の係合片３１ｃが、左フレーム２ａに設けられた係合部２ｃからそれぞれ外れ、これらの係合状態が解除される。
これによって、左フレーム２ａに対する左外側板３ａの装着状態が解除され、左フレーム２ａから左外側板３ａを取り外すことができる。
【００４９】
また、左フレーム２ａに対して左外側板３ａを装着する際には、左外側板３ａを左フレーム２ａにあてがって、左外側板３ａをスプール軸５ｃ（軸心Ｏ１）を中心として、図５（ｃ）中矢印Ｂ２方向に回動させる（スプール軸５ｃ周りに回動させる）。そうすると、制動装置３０の支持部材３１に設けられた舌片状の係合片３１ｃが、左フレーム２ａに設けられた係合部２ｃにそれぞれ係合し、左フレーム２ａに対して左外側板３ａが装着される。
【００５０】
一方、このような装着時において、左外側板３ａをスプール軸５ｃ（軸心Ｏ１）を中心として、図５（ｃ）中矢印Ｂ２方向に回動させると、左フレーム２ａの受部２ｅの端部が係止部材２２の他端部２２ｂの先端部２２ｂ２に係止されるまでの間、受部２ｅの端部が一時的に当接する。これにより、係止部材２２の他端部２２ｂ側が、左外側板３ａに向けて没し、これによる係止部材２２の揺動で、前記したように、ばね部材２６が一時的に圧縮される状態となる。
【００５１】
その後、左外側板３ａの装着時の回動（図５（ｃ）において矢印Ｂ２方向の回動）にともなって、傾斜面２２ｂ１上から受部２ｅが外れて先端部２２ｂ２側に移動すると、左外側板３ａに向けて没していた他端部２２ｂが、ばね部材２６のばね力により受部２ｅ側に突出するように復帰され、これによって、他端部２２ｂの先端部２２ｂ２が受部２ｅに自動的に係止されることとなる。
これによって、左フレーム２ａに対して左外側板３ａが装着（係止）される。
【００５２】
以上説明した本実施形態の魚釣用リールによれば、リール本体１のフレーム２ａに対して左外側板３ａを着脱することができ、左外側板３ａに設けられた係止機構２０により、リール本体１のフレーム２ａに対して左外側板３ａを係止することができるので、スプール５の交換やスプール５のメンテナンス等を簡単かつスムーズに行うことができる。
そして、係止機構２０は、リール本体１の竿延在方向のスプール軸５ｃの前側において、左外側板３ａの下部領域Ａ２に設けられているので、スプール軸５ｃの前側における左外側板３ａの中央領域や上部領域Ａ１を内部機構部品の設置用のスペースとして利用することができる。これにより、これらのスペースを利用して内部機構部品（例えば、操作つまみ４０や歯車４１等のスプール５を制動するための操作部品等）を左外側板３ａの内側に設置することができる。
なお、リール本体１の左フレーム２ａ側に設けられる機構や部品等をこれらのスペースを利用して収容することもできる。したがって、左外側板３ａの内側スペースを内部機構部品の設置用のスペースとして効率よく利用することができる魚釣用リールが得られる。これによって、魚釣用リールのコンパクト化を図ることもできる。
【００５３】
また、係止機構２０は、リール本体１の竿延在方向のスプール軸５ｃの前側において、左外側板３ａの下部領域Ａ２に設けられているので、左外側板３ａの側方から操作ボタン２１に手をあてがうようにして、操作ボタン２１を指で押し下げ（押し込み）操作することができ、左外側板３ａを取り外す際の操作が行い易い。
【００５４】
また、操作ボタン２１と係止部材２２とにより係止機構２０を簡単に構成することができるので、生産性に優れ、また部品点数も少なく、製造コストの低減を図ることが可能となる。
また、操作ボタン２１と、係止部材２２とが材料の異なる部材で構成することができるので、操作し易く、しかも高強度で剛性を備えた係止機構２０が得られる。これにより、左外側板３ａの係止操作を長期間にわたって安定して行うことが可能であり、操作性に優れる。
【００５５】
また、スプール軸５ｃ方向から見て略三角形状とされた操作ボタン２１の一辺２１ｃが、左外側板３ａの下部領域Ａ２において左外側板３ａの下縁３ｆに沿うように配置されているので、左外側板３ａの下縁３ｆに近づけるようにして操作ボタン２１を配置することができる。
また、左外側板３ａの下縁３ｆに近づけるようにして操作ボタン２１をレイアウトすることができるので、スプール軸５ｃの前側における左外側板３ａの下部領域Ａ２において容易に操作ボタン２１が収まるようになり、係止機構２０のさらなる省スペース化を実現することができる。これによって、左外側板３ａの内側スペースを内部機構部品の設置用のスペースとして一層効率よく利用することができるようになり、より一層の魚釣用リールのコンパクト化を図ることもできる。
【００５６】
また、係止部材２２をボス部３ｇ１，ボス部３ｇ２に組み付ける際には、一対の支持腕２５ａ，２５ｂのうち支持腕２５ｂのみを固定ねじ２４で保持すればよいので、組み付けが簡単で生産性に優れ、また、部品点数も少なくなって、製造コストの低減を図ることができる。
【００５７】
また、係止部材２２の他端部２２ｂ側は、左外側板３ａの下縁３ｆに沿うように配置されているので、この下縁３ｆに近づけるようにして係止部材２２を配置することができる。
したがって、スプール軸５ｃの前側における左外側板３ａの下部領域Ａ２において容易に係止部材２２が収まるようになり、係止機構２０のさらなる省スペース化を実現することができる。これによって、左外側板３ａの内側スペースを内部機構部品の設置用のスペースとして一層効率よく利用することができるようになり、より一層の魚釣用リールのコンパクト化を図ることもできる。
【００５８】
また、操作ボタン２１の外周縁部の一部である辺２１ｃに沿う方向と、係止部材２２の一部である他端部２２ｂに沿う方向とが略一致しているので、これらを揃えるようにして、スプール軸５ｃの前側における左外側板３ａの下部領域Ａ２に、操作ボタン２１と係止部材２２とを配置することができる。
したがって、下部領域Ａ２における設置スペースの省スペース化を図ることができ、スプール軸５ｃの前側における左外側板３ａの中央領域や上部領域Ａ１の内側スペースを内部機構部品の設置用のスペースとして効率よく利用することができる。これによって、魚釣用リールのコンパクト化を図ることもできる。
【００５９】
また、ねじ部材２３により操作ボタン２１を係止部材２２の一端部２２ａに固定することで、操作ボタン２１を係止部材２２に連結することができ、連結が簡単で生産性に優れる。
操作ボタン２１とねじ部材２３との二部材で固定部分が構成されているので、指に触れる操作ボタン２１を樹脂製の風合いとしつつ、固定する部材であるねじ部材２３を金属製とすることができ、係止部材２２に対する強固な固定を実現することができる。これにより、操作し易く、しかも高強度で剛性を備えた係止機構２０が得られる。これにより、左外側板３ａの係止操作を長期間にわたって安定して行うことが可能であり、操作性に優れる。
【００６０】
また、係止機構２０は、制動装置３０と調節つまみ４０との下方においてこれらの両方に亘るように設けられているので、スプール軸５ｃの前側における左外側板３ａの下部領域Ａ２において、制動装置３０と調節つまみ４０との間に形成されるスペースを好適に利用した配置が可能となる。
したがって、スプール軸５ｃの前側における左外側板３ａの中央領域や上部領域に、制動装置３０と調節つまみ４０とを配置しつつ、係止機構２０も好適に配置することができ、左外側板３ａの内側スペースを内部機構部品の設置用のスペースとして効率よく利用することができる魚釣用リールが得られる。これによって、魚釣用リールのコンパクト化を図ることもできる。
【００６１】
また、スプール軸５ｃの軸方向から見て、水平面Ｋ１の上側に調節つまみ４０の軸心（つまみ軸）Ｏ２が位置するとともに、水平面Ｋ１の下側に係止機構２０が位置するので、水平面Ｋ１の上側となる左外側板３ａの中央領域や上部領域に、調節つまみ４０を配置することができ、また、水平面Ｋ１の下側となる左外側板３ａの下部領域Ａ２に係止機構２０を好適に配置することができ、スプール軸５ｃの前側における左外側板３ａの内側スペースを内部機構部品の設置用のスペースとして効率よく利用することのできる魚釣用リールが得られる。これによって、魚釣用リールのコンパクト化を図ることもできる。
【００６２】
（第２実施形態）
図６を参照して第２実施形態の魚釣用リールについて説明する。
本実施形態の魚釣用リールが前記第１実施形態と異なるところは、ボス部３ｇ１に固定ねじ２７を螺着して支持腕２５ａの脱落を防止した点である。
【００６３】
ボス部３ｇ１には、係止部材２２の支持腕２５ａに対向する部分に、支持腕２５ａが挿入支持される支持凹部３ｍ（図４（ｃ）に示す支持凹部３ｊと同様のもの）が設けられている。そして、この支持凹部３ｍの側方には、固定ねじ２７が螺着され、この固定ねじ２７の頭部で、支持凹部３ｍの開口の一部が塞がれるようになっている。これにより、支持凹部３ｍ内から支持腕２５ａが脱落することが防止されている。
【００６４】
したがって、係止部材２２を支持する際には、例えば、一方のボス部３ｇ１の支持凹部３ｍに係止部材２２の支持腕２５ａを挿入し、他方のボス部３ｇ２の支持凹部３ｊに支持腕２５ｂを挿入し、これらの上から固定ねじ２７，２４をボス部３ｇ１，３ｇ２にそれぞれ螺着する。これによって、係止部材２２が支持腕２５ａ，２５ｂを介してボス部３ｇ１，３ｇ２に揺動可能に支持されることとなる。なお、いずれか片側を固定してから残りの片側を固定するようにしてもよい。
【００６５】
以上説明した本実施形態の魚釣用リールによっても前記第１実施形態で説明した作用効果と同様の作用効果を有する。
また、固定ねじ２７，２４を固定することで係止部材２２をボス部３ｇ１，３ｇ２に揺動可能に支持することができるので、係止部材２２の組み付けが簡単であり、生産性に優れる。また、固定ねじ２７，２４の頭部により支持凹部３ｊ，３ｍの開口の一部が塞がれることとなるので、支持腕２５ａ，２５ｂの脱落を確実に防止することができる。
【００６６】
（第３実施形態）
図７を参照して第３実施形態の魚釣用リールについて説明する。
本実施形態の魚釣用リールが前記第１，第２実施形態と異なるところは、係止機構２０の操作ボタン２１Ａを側面視で略四角形状とした点である。
【００６７】
操作ボタン２１Ａは、左外側板３ａの支持部材３１の環状部３１ａに沿う第１辺２１ａ１と、調節つまみ４０の外周縁４０ｃに沿う第２辺２１ａ２と、左外側板３ａの前側に向く第３辺２１ａ３と、左外側板３ａの下縁３ｆに略平行に沿う第４辺２１ａ４と、を備えている。
第２辺２１ａ２および第４辺２１ａ４は、緩やかに湾曲する凹状とされており、これによって、操作ボタン２１Ａの上下方向における小型化が図られている。
また、第１辺２１ａ１と第３辺２１ａ３とは略平行となるようにされている。
【００６８】
以上説明した本実施形態の魚釣用リールによっても前記第１実施形態で説明した作用効果と同様の作用効果が得られる。
また、係止機構２０の操作ボタン２１Ａは、側面視で略四角形状とされているので、指に触れる部分の面積を前記第１，第２実施形態で説明した略二等辺三角形状のものよりも大きく設定することができ、操作性の向上を図ることができる。
また、操作ボタン２１Ａは、制動装置３０と調節つまみ４０との下方において、制動装置３０の支持部材３１の外周縁３１ｄと、調節つまみ４０の外周縁４０ｃと、左外側板３ａの下縁３ｆと、で囲われる、側面視で略三角形状のスペースＡ３に配置されているので、略四角形状とされて、指に触れる部分の面積が大きく設定された構成でありながら、スペースＡ３内に好適に配置することができる。これによって、操作性を図りながらコンパクト化を図ることができる魚釣用リールが得られる。
【００６９】
（第４実施形態）
図８を参照して第４実施形態の魚釣用リールについて説明する。
本実施形態の魚釣用リールは前記第１実施形態の変形例であり、係止機構２０の略三角形状とされた操作ボタン２１Ｂの前部を幅広に形成した点である。
【００７０】
操作ボタン２１Ｂは、左外側板３ａの支持部材３１の環状部３１ａに沿う第１辺２１ｂ１と、調節つまみ４０の外周縁４０ｃに沿う第２辺２１ｂ２と、左外側板３ａの下縁３ｆに略平行に沿う第３辺２１ｂ３と、を備えており、第２辺２１ｂ２と第３辺２１ｂ３との間が円弧状に幅広（上下方向に幅広）に形成されている。
【００７１】
本実施形態の魚釣用リールによっても前記第１実施形態で説明した作用効果と同様の作用効果が得られる。
また、係止機構２０の操作ボタン２１Ｂは、前部が幅広に形成されているので、指に触れる部分の面積を前記第１，第２実施形態で説明した略二等辺三角形状のものよりも大きく設定することができ、操作性の向上を図ることができる。
また、操作ボタン２１Ｂは、制動装置３０と調節つまみ４０との下方において、制動装置３０の支持部材３１の外周縁３１ｄと、調節つまみ４０の外周縁４０ｃと、左外側板３ａの下縁３ｆと、で囲われる、側面視で略三角形状のスペースＡ３に配置されているので、前部が幅広とされて、指に触れる部分の面積が大きく設定された構成でありながら、スペースＡ３内に好適に配置することができる。したがって、操作性を図りながらコンパクト化を図ることができる魚釣用リールが得られる。
【００７２】
また、前各記実施形態においては、係止機構２０の操作ボタン２１の設置位置が、スプール軸５ｃの前側における下部領域Ａ２であるので、魚釣時にリールに手を添えているときに、操作ボタン２１が手の平に当ることがなく、違和感なしに快適に釣りが行える。
なお、前記各実施形態において制動装置３０は、磁気ブレーキ方式のものを例にとって説明したが、これ以外の公知の遠心力ブレーキ方式等を採用することもできる。
また、前記各実施形態においては、左外側板３ａに係止機構２０を設置される例を示したが、これに限られることはなく、右外側板３ｂに係止機構２０が設けられていてもよい。
【００７３】
また、前記各実施形態では、係止部材２２が、操作ボタン２１（２１Ａ，２１Ｂ）の操作に連動して揺動するものを例示したが、これに限られることはなく、操作ボタン２１（２１Ａ，２１Ｂ）の操作に連動して作動することで受部２ｅとの係止を解除するものであれば種々の機構や構造を採用し得る。
【符号の説明】
【００７４】
１      リール本体
２Ａ    左側板
２ａ    左フレーム
２ｂ    右フレーム
３ａ    左外側板
３ｆ    下縁
３ｇ１  ボス部（第１支持部）
３ｇ２  ボス部（第２支持部）
３ｊ    支持凹部
３ｍ    支持凹部
５      スプール
５ｃ    スプール軸
２０    係止機構
２１    操作ボタン
２１Ａ  操作ボタン
２１Ｂ  操作ボタン
２２    係止部材
２２ａ  一端部
２２ｂ  他端部
２５ａ，２５ｂ  支持腕
３０    制動装置
Ａ１    上部領域
Ａ２    下部領域
Ａ３    スペース
Ｋ１    水平面
Ｋ２    垂直面
【図１】
0005452803.tif 000002
【図２】
0005452803.tif 000003
【図３】
0005452803.tif 000004
【図４】
0005452803.tif 000005
【図５】
0005452803.tif 000006
【図６】
0005452803.tif 000007
【図７】
0005452803.tif 000008
【図８】
0005452803.tif 000009